(57)【要約】【課題】コスト高を招くことなく、コンパクトに設計ができると共に、設計自由度の増した照明付きスイッチを提供すること。【解決手段】液晶パネル等の表示画像を透過型スクリーンの背面より拡大投影するリアプロジェクション装置において、ランプからの光の一部を光ファイバー等の導光部材により導き、透光性材料から成るキートップを裏面より照明する。【選択図】        図１
2005011778.tif 000002
【特許請求の範囲】
【請求項１】
光を射出する光源と、該光源からの光をスイッチングして光像に変換するライトバルブと、該ライトバルブによって変換された光像を透過型スクリーンに背面から拡大投影するリアプロジェクタ装置において、該リアプロジェクタ装置操作部に配置された操作ボタンの透光性材料から成るキートップを該光源からの光により照明することを特徴とする前記リアプロジェクタ装置の照明付きキートップ。
【請求項２】
該光源からの光は光ファイバー等の導光部材により導光し、該キートップを照明する事を特徴とする請求項１に記載の照明付きキートップ。
【請求項３】
スクリーン枠外の投射光領域に投射された光源からの光により該キートップを照明する事を特徴とする請求項１に記載の照明付きキートップ。
【請求項４】
キートップの押圧により該キートップ表面の輝度が高くなる事を特徴とする請求項１に記載の照明付きキートップ。
【発明の詳細な説明】
【０００１】
【発明の属する技術分野】
本発明はライトバルブにより形成した光像を透過スクリーンに背面から拡大投影するリアプロジェクタ装置の操作部に配置された操作ボタンの照明に関する。
【０００２】
【従来の技術】
従来、操作ボタンの操作性向上を目的としてキートップ自身を高輝度に発光させることが行なわれている。図１０は従来の照明付き操作ボタンの一例を示す図である。図において１００は透光性材料から成るキートップ、１０１は透光性材料から成るラバーコンタクト１０２を押圧する透光性材料から成る押圧部材で前記キートップ１００を支持している。
【０００３】
１０３ａ，１０３ｂは配線板１０４上に配置された各接点で該ラバーコンタクト１０２に設けたカーボンコンタクト１０５が前記キートップ１００の押圧によって押し下げられると前記接点１０３に接触し接点１０３ａ，１０３ｂを導通させる。
【０００４】
１０６は該配線板１０４上に配置されたＬＥＤからなる発光部材でキートップ１００を裏面より照明する。
【０００５】
そのような技術として特許文献１がある。
【０００６】
【特許文献１】
特開平８−２６４０６５号公報
【０００７】
【発明が解決しようとする課題】
しかしながら、上記従来例によれば、ＬＥＤ等の発光部材を操作ボタンの内部に実装する必要があり、操作ボタンをコンパクトに設計するための自由度が低く、またコスト高を招くという問題があった。
【０００８】
【課題を解決するための手段】
本発明によれば、光を射出する光源と、該光源からの光をスイッチングして光像に変換するライトバルブと、該ライトバルブによって変換された光像を透過型スクリーンに背面から拡大投影するリアプロジェクタ装置において、該リアプロジェクタ装置操作部に配置された操作ボタンの透光性材料から成るキートップを該光源からの光により照明することにより、コスト高を招くことなく、コンパクトに設計できるとともに、設計自由度の増した照明付き操作ボタンを提供することができる。
【０００９】
【発明の実施の形態】
（実施例１）
図１に、本発明の実施例１におけるリアプロジェクタ装置の概要を示す。
【００１０】
図１において、１は照明光学系及び投射レンズを搭載した光学エンジンで、投射レンズから射出された投影画像は反射ミラー２を介して透過型スクリーン３に拡大投影される。４は該リアプロジェクタ装置の本体筐体であり、前面部には操作ボタン５が配置されている。
【００１１】
図２は図１における光学エンジン１と操作ボタン５の詳細を説明する図である。
【００１２】
図２において光源であるランプ６から発せられた光はＰＳ変換素子７によりその偏光方向を一方向に揃えられインテグレータレンズ８により照明範囲内の光量を均一にされた後、色分解用の第一のダイクロイックミラー９に射出される。
【００１３】
Ｂ、Ｇ成分を反射、Ｒ成分を透過するように構成された第一のダイクロミラー９によって透過されたＲ成分の光は反射ミラー１０によって光路を曲げられフィールドレンズ１１を介してＲ用透過型液晶パネル１２に照射される。
【００１４】
一方、前記第一のダイクロミラー９によって反射されたＧ、Ｂ成分の光は第二のダイクロミラー１３によって分離されＢ成分の光はフィールドレンズ１４を介してＢ用透過型液晶パネル１５に照射される。
【００１５】
同様にＧ成分の光は反射ミラー１６、１７、更にフィールドレンズ１８を介してＲ用透過型液晶パネル１９に照射される。ここで２０、２１はＲ、Ｂ用各透過型液晶パネル１２、１５までの光路長とＧ用透過型液晶パネル１９までの光路長の差による光量の減衰を補正する為のコンデンサレンズである。
【００１６】
Ｒ，Ｇ，Ｂ用各透過型液晶パネルに照射された光は各パネルを透過後Ｒ，Ｇ，Ｂ各画像を形成し直角プリズム２２によって合成された後投射レンズ２３によってスクリーン３上に投影される。２４は光学エンジン全体のケースである。
【００１７】
５はリアプロジェクタ装置の本体筐体４の前面部に配置された操作ボタンである。
【００１８】
図において２５は透光性材料から成るキートップ、２６は透光性材料から成るラバーコンタクト２７を押圧する透光性材料から成る押圧部材で前記キートップ２５を支持している。
【００１９】
２８ａ，２８ｂは配線板２９上に配置された各接点で該ラバーコンタクト２７に設けたカーボンコンタクト３０が前記キートップ２５の押圧によって押し下げられると前記接点２８ａ，２８ｂに接触し接点２８ａ，２８ｂを導通させる。
【００２０】
３１は、その一端が該配線板２９上に配置された光ファイバーからなる導光部材で他端は前記光学エンジン１のケース２４に設けられた貫通口（不図示）を介して前記インテグレータレンズ８の射出側に配置されている。ランプ６からの光線の一部は該導光部材３１により導光されキートップ２５を裏面より照明する。
【００２１】
図３は前記キートップ２５の押圧によってカーボンコンタクト３０が押し下げられ前記接点２８ａ，２８ｂに接触し接点２８ａ，２８ｂが導通した状態を示す図である。
【００２２】
図において光ファイバーからなる導光部材３１の射出側端部が該ラバーコンタクト２７に接触している為、該キートップ２５に向けて射出される光の減衰が最小となり、キートップ２５の表面での輝度は更に高くなる。
【００２３】
（実施例２）
図４に本発明の実施例２によるリアプロジェクション方式のテレビモニターの概要を示す。
【００２４】
図４において、３２は照明光学系及び投射レンズを搭載した光学エンジンで、投射レンズから射出された投影画像は反射ミラー３３を介して透過型スクリーン３４に拡大投影される。３５は該リアプロジェクション方式のテレビモニターの本体筐体であり、前面部には操作ボタン３６が配置されている。
【００２５】
一般にテレビ放送では、放送局によって画面の位置が多少ずれていたとしても画が切れることなくきちんと表示されるようにするため、スクリーン上では画像の８５〜９０％程度しか見えない（画面のタイトル等は画像範囲の８０％以内に収まるように作られている。）所謂オーバースキャン放送が行なわれている。
【００２６】
図４に示す斜線部３７ａ，３７ｂがオーバースキャン領域としてスクリーン上では見えない領域となる。
【００２７】
本実施例は該オーバースキャン領域３７ａの光を該操作ボタン３６の照明光として利用するものである。
【００２８】
図５は該操作ボタン３６の詳細を示す図である。
【００２９】
操作ボタン３６はリアプロジェクタ装置の本体筐体３５の前面部に配置されている。
【００３０】
図５において３８は透光性材料から成るキートップ、３９は透光性材料から成るラバーコンタクト４０を押圧する透光性材料から成る押圧部材で前記キートップ３８を支持している。
【００３１】
４１ａ，４１ｂは配線板４２上に配置された各接点で該ラバーコンタクト４０に設けたカーボンコンタクト４３が前記キートップ３８の押圧によって押し下げられると前記接点４１ａ，４１ｂに接触し接点４１ａ，４１ｂを導通させる。
【００３２】
４４は、その一端が該配線板４２上に配置された光ファイバーからなる導光部材で他端は前記オーバースキャン領域３７ａの中に配置されている。該オーバースキャン領域の光線の一部は該導光部材４４により導光されキートップ３８を裏面より照明する。
【００３３】
（実施例３）
前記実施例２で説明したテレビモニターと異なりＰＣモニターの場合は全てのエリアが見えないと困るので常にアンダースキャンのフルフレーム表示となり所謂オーバースキャン領域は存在せずスクリーン上でのフレーム外表示は光の来ない黒枠表示となる。
【００３４】
本実施例は従来の該黒枠表示部にも照明光を照射し、操作ボタンの照明光として利用するものである。
【００３５】
図６は本発明の実施例３によるＰＣモニター用のリアプロジェクタ装置の概要を示す。
【００３６】
図６において、４５は照明光学系及び投射レンズを搭載した光学エンジンで、投射レンズから射出された投影画像は反射ミラー４６を介して透過型スクリーン４７に拡大投影される。４８は該ＰＣモニター用のリアプロジェクタ装置の本体筐体であり、前面部には操作ボタン４９が配置されている。
【００３７】
図７は図６における光学エンジン４５の詳細を説明する図である。
【００３８】
図７において光源であるランプ５０から発せられた光はＰＳ変換素子５１によりその偏光方向を一方向に揃えられ、更にインテグレータレンズ５２により照明範囲内の光量を均一にされた後、フィールドレンズ５３を介しスイッチングカラーフィルター５４に入射する。スイッチングカラーフィルター５４によりＲ，Ｇ，Ｂ各色に時分割処理された光線は反射ミラー５５を介して直角プリズム５６により光路を直角に曲げられ反射型液晶パネル５７に入射する。
【００３９】
反射型液晶パネル５７によってＲ，Ｇ，Ｂ各色に時分割反射された画像情報は該直角プリズム５６を通過後、投射レンズ５８により前記スクリーン４７（図６）に拡大投影される。
【００４０】
５８は反射型液晶パネル５７の有効画像範囲外のエリアの光を反射する反射板である。
【００４１】
図８は前記反射型液晶パネル５７と反射板５８の詳細を説明する斜視図である。図８において前記反射型液晶パネル５７の画像有効エリア５９外への入射光は前記反射板５８の反射面（斜線部）によって反射され有効画像外の光線６０ａ，６０ｂ（図７）となってスクリーン４７の画像枠外に投射される（図６）。
【００４２】
図９は該操作ボタン４９の詳細を示す図である。
【００４３】
操作ボタン４９はリアプロジェクタ装置の本体筐体４８の前面部に配置されている。
【００４４】
図９において６１は透光性材料から成るキートップ、６２は透光性材料から成るドーム部、６３は配線板６４と前記ドーム部６２に設けられた接点部であり、キートップ６１の押圧によって該ドーム部６３がつぶされることにより接点部６３が導通する。
【００４５】
６５は、その一端が該配線板６４上に配置された光ファイバーからなる導光部材で他端は前記反射板５８の反射面（図７、図８）によって反射された有効画像外の光線エリア６０ａ内に配置されている。
【００４６】
該光線エリア６０ａの光線の一部は該導光部材６５により導光されキートップ６１を裏面より照明する。
【００４７】
【発明の効果】
以上説明したように本発明によれば、光を射出する光源と、該光源からの光をスイッチングして光像に変換するライトバルブと、該ライトバルブによって変換された光像を透過型スクリーンに背面から拡大投影するリアプロジェクタ装置において、該リアプロジェクタ装置操作部に配置された操作ボタンの透光性材料から成るキートップを該光源からの光により照明することにより、コスト高を招くことなく、コンパクトに設計できるとともに、設計自由度の増した照明付き操作ボタンを提供することができる。
【図面の簡単な説明】
【図１】本発明の実施例１におけるリアプロジェクタ装置の概要を示す図。
【図２】図１における光学エンジン１と操作ボタン５の詳細を説明する図。
【図３】キートップ２５の押圧によってカーボンコンタクト３０が押し下げられた状態を示す図。
【図４】本発明の実施例２によるリアプロジェクション方式のテレビモニターの概要を示す図。
【図５】操作ボタン３６の詳細を示す図。
【図６】本発明の実施例３によるＰＣモニター用のリアプロジェクタ装置の概要を示す図。
【図７】図５における光学エンジン４５と操作ボタン４９の詳細を説明する図。
【図８】反射型液晶パネル５７と反射板５８の詳細を説明する斜視図。
【図９】操作ボタン４９の詳細を示す図。
【図１０】従来の照明付き操作ボタンの一例を示す図。
【符号の説明】
１  光学エンジン
４  リアプロジェクタ装置の本体筐体
５  操作ボタン
６  ランプ
３１  光ファイバーからなる導光部材
３７ａ，３７ｂ  オーバースキャン領域
５７  反射型液晶パネル
５８  反射板
６０ａ，６０ｂ  有効画像外の光線
【図１】
2005011778.tif 000003
【図２】
2005011778.tif 000004
【図３】
2005011778.tif 000005
【図４】
2005011778.tif 000006
【図５】
2005011778.tif 000007
【図６】
2005011778.tif 000008
【図７】
2005011778.tif 000009
【図８】
2005011778.tif 000010
【図９】
2005011778.tif 000011
【図１０】
2005011778.tif 000012